(57)【要約】【課題】従来技術の固着構成要素を更に発展させる。【解決手段】固着すべき物体（５）と壁（６）との間の固着構成要素に関し、該構成要素は二つの翼（１０、２０）を含み、両者はエルボ（１５、２５）によって組み立てられヒンジ（３）によって可動的に接合された固着アーム（１１、２１）及び支持伸張アームを含む。本発明は、二つの固着アーム（１１、２１）が引き合わされ組み合わされて留めピン（３０）を形成する際、エルボ（１５、２５）に対して突出するピン（１９Ａ、２９Ａ）がガイド枠（１９Ｂ、２９Ｂ）の中に噛み合うように設計されることを特徴とする。【選択図】図１
2004536262.tif 000002
【特許請求の範囲】
【請求項１】
固着すべき物体（５）と壁（６）との間に用いられる固着構成要素であって、
該固着構成要素は、二つの翼（１０、２０）から構成され、その各々は、エルボ（１５、２５）により実質的に直角に合体する固着アーム（１１、２１）と支持伸張アーム（１３、２３）とを含む、さらに該翼は、エルボの頂点に配されたヒンジ（３）によって可動的に接合しており、その際、二つの伸張アームは、引き合わされて固着すべき物体（５）の中に該物体に形成された切欠き（７）を貫通して挿入する状態になり、二つの固着アームは、引き合わされ合体して固着すべき物体（５）の外側に突出する留めピン（３０）になり、一方、二つの伸張アームは、各エルボの凹部で且つそれに隣接する部分に、それぞれ配された二つのスカート（１７、２７）の弾性復元力に逆らって内面をお互いに離れるように移動して固着すべき物体（５）の外側に押圧し、各翼の固着アームと伸張アームによって規定される平面に伸展するスカート（１７、２７）は、レバーを形成して固着すべき物体の外側に位置し、二つの固着アームは、留めピンを固定するためのフック（１２、２２）を有し、且つ、留めピンを壁（６）の開口部に固定するためのリブ（１４、２４）を有し、しかも、二つの翼の可動接合ヒンジを中心にした回転を案内するための回転ガイド（１９、２９）は、二つの固着アームのエルボに隣接する部分に配置されていることを特徴とする固着構成要素。
【請求項２】
回転ガイド（１９、２９）は、エルボ（１５、２５）に対して各翼（１０、２０）から突出するラグ（１９Ａ、２９Ａ）と、エルボに湾入するガイド枠（１９Ｂ、２９Ｂ）を含み、その際、各ラグは、可動接合ヒンジ（３）に対して反対側のエルボによって運ばれるガイド枠に対向して伸展するもう一方のエルボによって運ばれ、しかも二つの固着アーム（１１、２１）が引き合わされ合体して留めピン（３０）を形成するとき、該ラグはガイド枠の中で噛み合うことを特徴とする、請求項１記載の固着構成要素。
【請求項３】
各アームが各翼のアーム及び伸張アームによって規定される平面に対して垂直に伸展するタブ（１８０、１８１；２８０、２８１）を有し、それにより、該タブが弾性変形によって壁（６）に押圧されることを特徴とする、請求項１又は２記載の固着構成要素。
【請求項４】
固定フックが嵌め込み要素（１０１、２０１）によって置き換えられることを特徴とする、請求項１記載の固着構成要素。
【請求項５】
各翼（１０、２０）のエルボ（１５、２５）が直角の断面を有し、それにより、留めピン（３０）が切欠き（７）に対して回転することを防ぐことを特徴とする、請求項１記載の固着構成要素。
【発明の詳細な説明】
【技術分野】
【０００１】
本発明は、固着すべき物体と壁との間の固着構成要素に関する。
【０００２】
「固着構成要素」の用語は、プラスチックの管又は異形材と外部要素（例えば、乗物躯体）との間に結合を形成することを可能にする構成要素を示すために使用される。
【背景技術】
【０００３】
道路用乗物の分野、或いは更に広く移動装置の配線ルーム（faisceaux electriques d'engins mobiles）の分野において、プラスチック管又は異形材を固着する構成要素として、主に二つのタイプがある。
【０００４】
第一は、固着すべき管又は異形材に形状を合わせた環状構成要素類である。これらの固着具類は主に二つの欠点を有する。管又は異形材の個々の形状及び寸法に対して、対応する形状の固着具を必要とする。これらの固着具類は、嵌め込み要素の形態（forme de lyre）であれ、締付けキャップの使用であれ、後者を装着した後で管又は異形材上に位置する必要がある。
【０００５】
第二には、管又は異形材の表面に機械的に連結した構成要素類が知られている。これらは溶接する固着具類でもよく、この場合それを実施するための装置及び固着具の材質と管又は異形材のそれとの間の化学結合適合性を必要とする。或いは又、鋲接固着具でもよいが、この場合はその製造及び使用が複雑である。機械的破断負荷に対する耐久性を高めるためには、対向する鋲接面は十分な面積を必要とし、管又は異形材の有効断面積の無視し得ない縮小を伴う。又、接着剤による固着具も知られているが、接着剤を付与する表面は、接着剤が周囲からの化学的浸食に耐えるよう十分な寸法を有していなければならない。接着剤のコストもプラスチック構成要素のコストに付加される。この目的のために管又は異形材の表面に設けた切欠きに切り込む固着具も又知られている。
【０００６】
これらの切り込み固着構成要素の場合、二つの切り込み方式：管又は異形材の外側からの切り込み、又は内側からの切り込み、に分けることができる。内側からの切り込みの場合は、切欠きの形状は、固着具の形状同様に単純である（釘に匹敵する）。問題は、固着具がケーシングの内部から穴を貫通するので、支持タブを固着具に結合することができないという事実である。このタブは、固着具と支持体との間の均衡（l'isostatisme）を確実にする機能を有する。タブが必要な場合には、別個に取り付けなければならない。外側からの切り込みの場合には、タブを設けることができるが、切欠き及び取り付けに必要な操作は複雑になる。
【０００７】
このような切り込み固着具の適性は、以下のいくつかのパラメーターによって評価される：異形材又は管に形成される切欠きの寸法は、関与する管又は異形材の機械的物性の局部的な脆弱化を避けるために、可能な限り小さくなければならない；切欠きの形状は、低コストの切削工程を実現するために単純でなければならない；切欠きの形態は、管又は異形材に関する破断応力に対する固着具の機械的耐久性に有利でなければならない；切欠きは、管の直径又は異形材の形状から最大限に偏っていなければならない；管又は異形材への固着具の装着の容易さ及び迅速さが確保されなければならない；管又は異形材の有効断面積内に生ずる障害は、可能な限り小さくなければならない；切り込み後の固着具と管又は異形材との対向面は、機械的な破断応力に対する良好な耐久性が得られて、固着すべき物体とその支持体との間の均衡を確実にするために、可能な限り大きくなければならない。
【０００８】
特許文献１又は特許文献２には、請求項１の前文に記載の固着構成要素が開示されており、これは、例えば押出し成型した管又は異形材を、この目的のために穴を形成した外部表面に留めることを可能にする。
【０００９】
【特許文献１】
ドイツ公開特許公報第１９８２７４７２号
【特許文献２】
欧州公開特許公報第５２６７８２号
【発明の開示】
【発明が解決しようとする課題】
【００１０】
本発明の目的は、このような固着構成要素を更に発展させることである。
【課題を解決するための手段】
【００１１】
この目的のために、本発明の主題は、請求項１の前文に記載の固着構成要素であって、可動接合ヒンジを中心にした二つの翼の回転を案内するための回転ガイドが、二つのアームのエルボに隣接した部分に配されることを特徴とする固着構成要素である。回転ガイドは、二つのアームが引き合わされて留めピンを形成する際、それらの間の滑り及び回転の可能性を制限する。それらは、二つのアームの間に追加の連結点を提供し、留めピンに加わる負荷を分散させる。
【発明の効果】
【００１２】
本発明の固着構成要素は、都合よいようにアームを有し、その各々には各翼のアーム及び伸張アームによって規定される平面に対して垂直に伸展するタブが配され、これらのタブは、固着すべき物体が固着構成要素によって取り付けられる外部表面に対して、弾性変形により押圧する。
【００１３】
本発明の他の利点は、付属の図面に例示された実施態様の記載から明らかになるであろう。
【発明を実施するための最良の形態】
【００１４】
図１に示すように、固着構成要素は二つの翼１０、２０を含み、その各々は固着アーム１１、２１及びエルボ１５、２５により実質的に直角に合体する支持伸張アーム１３、２３を含む。二つの翼は、エルボの頂点に配されたヒンジ３により可動的に接合される。
【００１５】
可動的接合の第一の状態において、二つの伸張アーム１３、２３は引き合わされ、固着すべき物体５の中に該物体に形成された切欠き７を貫通して挿入される。
【００１６】
可動的接合の第二の状態において、二つのアーム１１、２１は引き合わされ合体して該物体の外側に突出する留めピン３０を形成し、伸張アーム１３、２３は、各エルボの凹部で、且つ、各アームの隣接部にそれぞれ配された二つのスカート１７、２７の弾性復元力に逆らって内側で互いに離れ、物体の外側に向かって押圧する。
【００１７】
図１から図５に例示される実施態様において、スカート１７、２７は、各翼のアーム及び伸張アームによって規定される平面内に伸展してレバーを形成し、該レバーは、伸張アームを固着すべき物体の内側に挿入する状態において該物体の外側に位置する。二つのアームは、アームの端部に配された留めピンのフック１２、２２又は嵌め込み要素１０１、２０１を有する。二つのアームは、又、壁６の開口部に留めピンを固定するためのリブ１４、２４を包含する。
【００１８】
本発明によれば、二つの翼の可動接合ヒンジを中心にした回転を案内するための回転ガイド１９、２９が、二つのアームのエルボに隣接する部分に配される。
【００１９】
図１及び図４に明白に見られるように、回転ガイド１９、２９は、好ましくは各翼のエルボに対して突出するラグ１９Ａ、２９Ａ、及び、エルボに湾入するガイド枠１９Ｂ、２９Ｂを含む。更に、各ラグ、例えば固着構成要素の二つの翼の内の一つのエルボ１５から突出する１９Ａは伸展して、可動接合ヒンジ３に対して反対側の翼のエルボ２５に湾入するガイド枠２９Ｂに対向する。
【００２０】
ラグ１９Ａ、２９Ａは、二つの固着アーム１１、２１が引き合わされ合体して留めピン３０を形成する際、ガイド枠１９Ｂ、２９Ｂの中で噛み合う。このようにして、これらのラグは、二つのアーム１１、２１が引き合わされる際、それらの間の滑り及び回転の可能性を制限する。これらのラグは、二つのアーム１１、２１の間の追加の連結点を提供し、留めピン３０に加わる負荷を分散させる。ヒンジ３の破断の際、ガイド枠１９Ｂ、２９Ｂの中で噛み合うラグ１９Ａ、２９Ａは、留めピン３０を形成する二つの翼１０、２０を互いに保持し合うことに貢献する。
【００２１】
各アームには、それぞれ、各翼のアーム及び伸張アームによって規定される平面に対して垂直に伸びる一対のタブ１８０、１８１及び２８０、２８１が都合よいように取り付けられ、弾性変形によって壁６を押圧する。
【００２２】
切欠き７は長円形の形状を有する。丸みを持った形状は、潜在的破断の出発点となる角部を持たないので、この形状により機械的強度が向上する。それは、又、管又は異形材に切欠きを形成するには単純な形状である。
【００２３】
バタフライピンの概念は、切欠きの寸法が小さい；留めピンと管又は異形材との間の支持表面が大きい；支持タブが形成できる；という利点を有する。切欠きの長穴形状は、ピンの向きを回転できないように定めることを可能にする。図１及び図６に明白に見られるように、エルボ１５、２５は直角の断面を有し、留めピン３０が長穴の切欠き７に対して回転するのを防ぐ。支持部材の長さは、管の内径又は異形材の高さ以下である。
【００２４】
管又は異形材の有効断面積の障害は、支持部材の断面積に等しく非常に小さい。取り付けは、図３から図５に例示されるように、構成要素が自動的に閉じるという移動の単純な動きによって達成される。閉じる操作は単純であり、タブが固着構成要素に合体することを可能にする。このようにして壁６の穴に装着される固着構成要素の取り付けは、固着具の管又は異形材上への強固な保持を確実にする。
【図面の簡単な説明】
【００２５】
【図１】本発明の固着構成要素を示す。
【図２】固着すべき管と壁との間に装着される図１の固着構成要素を示し、該管は一部部分断面図で示す。
【図３】図２の管への装着の際の、可動接合の異なる状態における二つの翼を有する固着構成要素を示す。
【図４】図２の管への装着の際の、可動接合の異なる状態における二つの翼を有する固着構成要素を示す。
【図５】図２の管への装着の際の、可動接合の異なる状態における二つの翼を有する固着構成要素を示す。
【図６】図６は、図１に記載の固着構成要素を示す。この図では、固定フックは嵌め込み要素で置き換えられている。
【図１】
2004536262.tif 000003
【図２】
2004536262.tif 000004
【図３】
2004536262.tif 000005
【図４】
2004536262.tif 000006
【図５】
2004536262.tif 000007
【図６】
2004536262.tif 000008
【国際公開パンフレット】
2004536262.tif 000009
2004536262.tif 000010
2004536262.tif 000011
2004536262.tif 000012
2004536262.tif 000013
2004536262.tif 000014
2004536262.tif 000015
2004536262.tif 000016
2004536262.tif 000017
2004536262.tif 000018
2004536262.tif 000019
【国際調査報告】
2004536262.tif 000020
2004536262.tif 000021
2004536262.tif 000022
2004536262.tif 000023